Podtech/llm-jp-corpus-v4-ja_patent huggingface dataset:
(57)【要約】      （修正有）【課題】粘着力が弱い弱粘性の粘着剤を使用して、三角くじを開封する際も剥がしやすく、また、一部を切り離すことなく抽選結果を確認でき、切り取った部分が発生しないため、その後の取扱いが容易な三角クジを提供する。【解決手段】正方形の用紙１の表面は無地、もしくは適当な柄が印刷されており、裏面には上、下辺部分（一辺側でもよい）に弱粘性の粘着剤２を塗着させている。前記粘着剤２の弱い粘着力を利用して複数の用紙が重ね合わされた状態から１枚ずつ剥がし取って裏面の粘着剤２の部分以外の余白に等級などの内容を記入した後、用紙を対角線（裏面の点線部分３）を中心に折り、粘着剤２が塗着されている部分を手で力を加えて貼り付けることで、所望の三角くじを作成する。【選択図】図２
0003173784.tif 000002
【実用新案登録請求の範囲】
【請求項１】
正方形の用紙の上、下辺の少なくとも一辺側に弱粘性の粘着剤を塗着すると共に完成時直角三角形となりうるように対角線で折り返して作成するようにしたことを特徴とする三角くじ。
【請求項２】
請求項１記載の三角くじにおいて、用紙の粘着力で複数枚重ねて販売、保管することができる三角くじ。
【考案の詳細な説明】
【技術分野】
【０００１】  本考案は、抽選の結果等を示すツールの１種である、三角くじに関するものである。
【従来技術及びその問題点】
【０００２】  従来からある、利用者自身が自由に内容を書き、手で貼るタイプの三角くじは、対角線を中心に折り曲げて三角にする際、綴じしろ（一般的には紙の２辺部分）に自ら糊をつけて貼り付けていたが、この方法では三角くじの仕上がりの体裁が悪く、かつ接着個所に糊をつける作業が非常に面倒で時間を要するという欠点があった。
【０００３】  また、本タイプの三角くじは製品開封後、１枚１枚が散乱するため、裏面記入前のものと記入後のものが混同し、管理しにくいという点があり、更には使用時に、抽選結果を確認するために切り取った部分が散在しやすく、取扱いの点においても非常に不便であった。
【考案の目的】
【０００４】  本考案は、上記のような従来製品の問題点を解消するために、市販の粘着剤付きの付箋紙のように複数枚重ね合わせた状態で商品として販売することができて販売、保管等に便利な三角くじを提供するものである。
【考案の構成】
【０００５】  本考案に係る三角くじは、正方形の用紙の上、下辺の少なくとも一辺に弱粘性の粘着剤を塗着すると共に完成時直角三角形となりうるように対角線で折り返して作成するようにしたことを特徴とするものである。
【考案の作用】
【０００６】  糊やホッチキス等、くじを綴じるための道具を別途準備、使用することなく、簡単に三角くじの作成が行え、抽選結果を確認する際も、そのまま剥がすことができるので、三角くじの一部を切り離すことなく結果の確認が行え、また、裏面記入前、記入後のくじの管理および使用後のくじの取扱いを容易に行える。
【実施例】
【０００７】  本考案に係る三角くじについて具体的に説明する。【０００８】  図１は、本考案に係る三角くじ作成用紙の平面図、図２は、本考案に係る三角くじの展開状態の平面図、図３は、用紙の保管、販売状態の斜視図、図４は、用紙を三角くじにした状態の平面図である。【０００９】  １は、本案三角くじを構成するための正方形の用紙であって、用紙表面については無地、もしくは適当な柄が印刷されており、図２のように裏面には上、下辺部分（一辺側でもよい）に弱粘性の粘着剤２を塗着させている。【００１０】  ここで、弱粘性の粘着剤２とは、例えば、住友スリーエム社の研究所で粘着剤の研究中に出来た粘着力が弱く接着剤としては使用に耐えないが、自身の数倍の重量を支える程度なら充分な粘着力があり、かつ粘着力に時間変化が少ないという特性があるものを云う。【００１１】  図３のように、前記粘着剤２の弱い粘着力を利用して複数の用紙が重ね合わされた状態から１枚ずつ剥がし取って裏面の粘着剤２の部分以外の余白に等級などの内容を記入した後、用紙を対角線（裏面の点線部分３）を中心に折り、粘着剤２が塗着されている部分を手で力を加えて貼り付けることで、図４のような所望の三角くじが容易に作成できるものである。
【考案の効果】
【００１２】  以上述べた如く、本考案に係る三角くじによれば、正方形の用紙の上、下辺の少なくとも一辺側に弱粘性の粘着剤を塗着すると共に完成時直角三角形となりうるように対角線で折り返して作成するようにしたものであるから、市販の粘着剤付きの付箋紙のように複数枚重ね合わせた状態で商品として販売することができて販売、保管に便利であり、さらに粘着剤の粘着力が弱いため、三角くじを開封する際も剥がしやすく、従来のように三角くじの一部を切り離すことなく抽選結果を確認でき、切り取った部分が発生しないため、その後の取扱いを容易にする等の効果があり、製品のさらなる購入、利用を促進することができるものである。
【図面の簡単な説明】
【００１３】
【図１】本考案に係る三角くじ作成用紙の平面図である。
【図２】本考案に係る三角くじの展開状態の平面図である。
【図３】用紙の保管、販売状態の斜視図である。
【図４】用紙を三角くじにした状態の平面図である。
【符号の説明】
【００１４】１・・・用紙
２・・・粘着剤
３・・・対角線
【図２】
0003173784.tif 000003
【図３】
0003173784.tif 000004
【図４】
0003173784.tif 000005
【手続補正書】
【提出日】平成23年12月22日(2011.12.22)
【手続補正１】
【補正対象書類名】図面
【補正対象項目名】全図
【補正方法】変更
【補正の内容】
【図１】
0003173784.tif 000006
【図２】
0003173784.tif 000007
【図３】
0003173784.tif 000008
【図４】
0003173784.tif 000009
(57)【要約】      （修正有）【課題】電源を内蔵した小型軽量の絶縁抵抗検査器で、低電圧の印加での高抵抗の電気的絶縁状態の検査を可能にする低電圧高抵抗絶縁抵抗検査器を提供する。【解決手段】直流電圧が印加される被測定の絶縁抵抗体の値に応じた電圧をボルテージフォロワによって安定させたものと、基準用抵抗器により分圧することで得られる基準電圧とをコンパレータによって比較しその結果を表示することにより、低電圧の印加での高抵抗の電気的絶縁状態を検査できる。【選択図】図１
0003173781.tif 000002
【実用新案登録請求の範囲】
【請求項１】
直流電圧が印加される被測定の絶縁抵抗体の値に応じた電圧と基準用抵抗器により分圧することで得られる基準電圧とを比較するコンパレータと、数百ＭΩ単位の高抵抗を検査できる様に被測定の絶縁抵抗体の値に応じた電圧を安定させるボルテージフォロワと、乾電池の電源電圧を昇圧するスイッチングレギュレータと、結果を表示する表示器を具備する絶縁抵抗検査器
【考案の詳細な説明】
【技術分野】
【０００１】  本考案は、高電圧をかけられない部分の電気的絶縁状態を検査するための、電源を内蔵した小型軽量の低電圧高抵抗絶縁抵抗検査器に関する。
【背景技術】
【０００２】  低電圧で高抵抗の電気的絶縁状態を検査する場合、１００Ｖ交流電源が必要な大型の絶縁抵抗計を使用していた。
【考案の概要】
【考案が解決しようとする課題】
【０００３】  １００Ｖ交流電源が必要であると使用できる場所が限られてしまう。また、大型であると移動が困難で労働的負担も大きい。従って、電源を内蔵し小型軽量化することにより前述の欠点を解決しようとするものである。
【課題を解決するための手段】
【０００４】  本考案は、乾電池からの電源電圧をスイッチングレギュレータで昇圧印加し、測定値をボルテージフォロワにより電流増幅し電圧を安定させ、コンパレータを用いて測定値と基準値とを比較することで電気的絶縁状態を検査することにより問題点を解決している。
【考案の効果】
【０００５】  上述の様に、本考案の絶縁抵抗検査器は１００Ｖ交流電源を必要としないので使用場所を選ばず、小型軽量であるため検査員がポケットにしまうなどして簡単に持ち運ぶ事が可能になる。
【図面の簡単な説明】
【０００６】
【図１】この考案の回路構成を簡略化した回路図である。
【図２】この考案の一実施例の回路構成を示す回路図である。
【考案を実施するための形態】
【０００７】  検査電圧を印加する二本の検査用棒、検査開始用スイッチ、検査結果を表示する表示器からなる検査機器の形をとる。
【実施例】
【０００８】  以下、図１に従って一実施例を説明する。１は乾電池２〜３本とスイッチングレギュレータからなる直流電源であり、スイッチングレギュレータにより３〜５Ｖ程度の電圧を１０〜２０Ｖ程度の電圧に昇圧させる回路である。【０００９】  １の電源電圧は２の測定部と固定抵抗器Ｒで分圧され、被測定の絶縁抵抗体の値に応じた電圧を得る。その測定電圧は微弱な電流であるため３のボルテージフォロワに接続され、電流を増幅し電圧を安定させる。基準用抵抗器４にも１の電源電圧が印加され、基準値となる電圧を分圧によって得る。【００１０】  ３で安定させた測定値電圧と４で得た基準値電圧は５のコンパレータに接続され、電圧の大小を比較する。その結果は６の表示部に接続され出力される。【００１１】  以下、図２に従って他の実施例を説明する。電源部において、ＤＣ−ＤＣコンバータ（スイッチングレギュレータ）により乾電池の電源電圧をＶまで昇圧する。【００１２】  測定部において、被測定の絶縁抵抗体の抵抗値Ｒｘと固定抵抗Ｒ１によりＶが分圧され測定電圧Ｖ１＝Ｖ×Ｒ１／（Ｒｘ＋Ｒ１）を得たのち、ボルテージフォロワＵ１により安定される。【００１３】  比較部１において、固定抵抗Ｒ２とＲ３によりＶが分圧され基準電圧Ｖ２＝Ｖ×Ｒ３／（Ｒ２＋Ｒ３）を得たのち、Ｖ１とＶ２を比較し大小によっていずれかのＬＥＤを発光させる。【００１４】  比較部２において、固定抵抗Ｒ４とＲ５によりＶが分圧され基準電圧Ｖ３＝Ｖ×Ｒ５／（Ｒ４＋Ｒ５）を得たのち、Ｖ１とＶ３を比較し大小によっていずれかのＬＥＤを発光させる。【００１５】  比較部３において、固定抵抗Ｒ６とＲ７によりＶが分圧され基準電圧Ｖ４＝Ｖ×Ｒ７／（Ｒ６＋Ｒ７）を得たのち、Ｖ１とＶ４を比較し大小によっていずれかのＬＥＤを発光させる。
【符号の説明】
【００１６】  図１
１  直流電源
２  測定部（被測定の絶縁抵抗体）
３  オペアンプによるボルテージフォロワ
４  基準電圧用の固定抵抗器
５  コンパレータ
６  表示部【００１７】  図２
ａ  電源部
ｂ  測定部（被測定の絶縁抵抗体）
ｃ  比較部１
ｄ  比較部２
ｅ  比較部３
【図１】
0003173781.tif 000003
【図２】
0003173781.tif 000004
(57)【要約】      （修正有）【課題】狭い調理台上に載置する調理済みの鍋類の保温性を考慮して安全に積み重ねておくことができる保温器を提供する。【解決手段】全体が発泡スチロール材に成る有底の基体に上下開口の胴体３を重ね合わせ、これに蓋体４を被嵌して成る。【選択図】図３
0003173786.tif 000002
【実用新案登録請求の範囲】
【請求項１】
全体が発泡スチロール材にて成る有底で適当高さに成る基体とこれに被嵌する蓋体とから成ることを特徴とする調理済み鍋類用保温器。
【請求項２】
全体が発泡スチロール材に成る有底の基体と上下開口の胴体と蓋体とから成ることを特徴とする調理済み鍋類用保温器。
【考案の詳細な説明】
【技術分野】
【０００１】
本考案は、調理済み鍋類の保温器に関するものである。
【背景技術】
【０００２】
一般家庭においては多くの鍋類を煮沸などして調理台上に置こうとしても、そのためのスペースがなく不便であったり、調理済みの鍋類を暫定的に保温する手段としては次のような技術が公知となっているが、実用性に乏しいものであった。
【０００３】
このうち特許文献４は、本件考案の出願人に係る発明であるが、これは鍋の形態を改良することによって積み重ね易くすることを目的とした鍋の構造であって、特に保温性を考慮した保温器ではない。
【先行技術文献】
【特許文献】
【０００４】
【特許文献１】特開平９−２０２３６６号公報
【特許文献２】特開２００３−１２５９４７号公報
【特許文献３】特許第４６５１９１９号公報
【特許文献４】特開平１０−２９５５３８号公報
【考案の概要】
【考案が解決しようとする課題】
【０００５】
そこで、本考案は、狭い調理台上に載置する調理済みの鍋類の保温性を考慮して安全に積み重ねておくことができる保温器を提供することを目的とするものである。
【課題を解決するための手段】
【０００６】
本考案は、全体が発泡スチロール材に成り、有底で適当高さに成る基体とこれに被嵌する蓋体とから成る保温器である。
【０００７】
また本考案は、全体が発泡スチロール材に成る有底の基体と上下に開口の胴体と蓋体とから成る保温器である。
【考案の効果】
【０００８】
上記のような構成手段をとることによって、一般家庭においても業務用においても、調理済みの鍋類の保温性を維持するために本考案器を使用すれば、調理台上に調整済みの鍋類を載置しておくスペースを特にとることなく鍋類を単純に積み重ねることによって十分保温効果を挙げることができるようになる。
【図面の簡単な説明】
【０００９】
【図１】一実施例として使用する各部材の斜視図
【図２】使用時の正断面図
【図３】使用時の半截正面図
【考案を実施するための形態】
【００１０】
ここで使用する鍋類の形態はすべて同一のものから成り、調理済みの鍋類が２個あった場合、有底の基体内にまず一鍋器を被蓋したまま収納し、しかる後に次の鍋器を前記鍋器の蓋板の平面部上に載置する。この時、下位鍋器の蓋板中央の摘みはその凹部面内にあるから、上位鍋器の底面部は下位鍋器の蓋板の摘みに接することなく下位鍋体の蓋板の平面部上に水平に一致して載置するようになる。
【００１１】
しかる後に、胴体を基体上に載置すると、胴体は前記下位鍋器と上位鍋器をそれぞれの蓋板を被嵌した状態で包囲して配置されるようになる。
【００１２】
最後に前記胴体の上面部に蓋体を被嵌すればよい。
【００１３】
また、他の実施例にあっては、調理済みの鍋類が２個あった場合でも、有底の基体が胴体を兼ねた高さを有するものの中に前記と同じ要領で２つの鍋器を収納し、しかる後に蓋体を基体の上面に被嵌すればよい。
【実施例】
【００１４】
図面は一実施例を示したものである。
【００１５】
１は底面部２を有する基体で、この基体の容積は収納する鍋器に合わせたものになる。
【００１６】
３は前記基体１の上面部に載置する上下に開口した胴体で、この胴体の容積も収納する鍋器に合わせたものとなる。この胴体３の数は任意であり、重ね合う鍋器の数に応じて使用すればよい。
【００１７】
また、他実施例では、前記胴体は前記基体と一体に構成した高さのあるものになり、このような構成の基体にあっては、この基体の内部に鍋器を上下に２個重ねて収納するようになる。
【００１８】
４は前記胴体３又は基体１の上面部に被嵌する蓋体である。
【００１９】
以上、基体１、胴体３及び蓋体４を構成する材料は発泡スチロール材であるが、ウレタン樹脂材でもよい。
【００２０】
ａは鍋器、ｂはその蓋板、ｃは蓋板平面部の凹部、ｄは蓋板の凹部中央に設けた摘みで、この摘みの高さは蓋板の平面部以下とする。
【００２１】
また、鍋器にあっては、その底面部中央に外凹部を形成し、蓋板の平面部中央に設けた摘みが上方鍋器の外凹部に嵌合し、鍋器底面部と蓋板平面部とが合致するような構成にしてもよい。
【符号の説明】
【００２２】
１                    基体
２                    底面部
３                    胴体
４                    蓋体
ａ                    鍋器
ｂ                    蓋板
ｃ                    凹部
ｄ                    摘み
【図１】
0003173786.tif 000003
【図２】
0003173786.tif 000004
【図３】
0003173786.tif 000005
【手続補正書】
【提出日】平成23年12月7日(2011.12.7)
【手続補正１】
【補正対象書類名】実用新案登録請求の範囲
【補正対象項目名】請求項２
【補正方法】変更
【補正の内容】
【請求項２】
全体が発泡スチロール材に成る有底の基体に上下開口の胴体を重ね合わせこれに蓋体を被嵌して成ることを特徴とする調理済み鍋類用保温器。
【手続補正２】
【補正対象書類名】明細書
【補正対象項目名】０００７
【補正方法】変更
【補正の内容】
【０００７】
また本考案は、全体が発泡スチロール材に成る有底の基体に上下に開口の胴体を重ね合わせこれに蓋体を被嵌して成る保温器である。
(57)【要約】【課題】使用済み乾電池には、１．２Ｖ程度の起電力が残留している。このまま廃棄することによるエネルギー資源の無駄を解消する。【解決手段】複数の使用済み乾電池１を直列に接続して端子間電圧を上げ（インバーターの入力電圧に合わせる）、その端子間にインバーター４（出力が交流１００Ｖであるもの）を接続することにより、市販機器（二次電池充電器、携帯電話充電器等）の電源として使用でき、この課題が解決される。尚、乾電池の容量が不足する場合は、複数の使用済み乾電池を直列に接続できる乾電池ケース２と同様の乾電池ケースを、並列に追加接続して対応する。【選択図】図１
0003173768.tif 000002
【実用新案登録請求の範囲】
【請求項１】
起電力が１．２Ｖ程度まで低下し、使用済みとなった複数の乾電池を直列に接続して端子間電圧を上げ（インバーターの入力電圧に合わせる）、その端子間にインバーター（出力が交流１００Ｖであるもの）を接続することにより、市販機器（二次電池充電器、携帯電話充電器等）の電源として使用できるようにした、使用済み乾電池を再利用する為の装置。
【考案の詳細な説明】
【技術分野】
【０００１】  本考案は、起電力低下により使用済みとなった乾電池を再利用する為の装置に関する。
【背景技術】
【０００２】  従来、電動玩具や懐中電灯などの乾電池使用機器の性能を発揮できなくなった乾電池は、起電力に残量があっても使用済みとして廃棄されていた。
【考案の概要】
【考案が解決しようとする課題】
【０００３】  しかし、使用済み乾電池を測定すると、１．２Ｖ程度の起電力が残留している。このまま廃棄するのはエネルギー資源の無駄である。
【課題を解決するための手段】
【０００４】  そこで、起電力が１．２Ｖ程度まで低下し、使用済みとなった複数の乾電池を直列に接続して端子間電圧を上げ（インバーターの入力電圧に合わせる）、その端子間にインバーター（出力が交流１００Ｖであるもの）を接続することにより、市販機器（二次電池充電器、携帯電話充電器等）の電源として使用できる装置を考案した（図１）。
【考案の効果】
【０００５】よって、本考案の使用済み乾電池を再利用する為の装置により、従来であれば使用済みとして廃棄していた乾電池を再利用することが可能になる。また、家庭用コンセント（交流１００Ｖプラグ受け）が無い場所において、市販機器（二次電池充電器、携帯電話充電器等）の携帯電源として使用することができる。
【図面の簡単な説明】
【０００６】
【図１】本考案に係る使用済み乾電池を再利用する為の装置を、使用する際の基本的な構成図である。
【図２】使用済み乾電池の容量が不足する場合に、乾電池ケースを追加接続する際の配置図である。
【考案を実施するための形態】
【０００７】  本考案に係る使用済み乾電池を再利用する為の装置（図２）は、複数の使用済み乾電池１を直列に接続できる乾電池ケース２（乾電池の容量が不足する場合は、同様の乾電池ケース８を並列に追加接続する）と、その端子間に接続された電圧計３及びインバーター４（出力が交流１００Ｖであるもの）からなる。電圧計３を確認しながら乾電池ケース２に使用済み乾電池をセットしていき、インバーター４の入力電圧に合わせる。なお、二次電池充電器や携帯電話充電器等の市販機器（６および７）を使用できるよう、インバーター４の出力側には家庭用コンセント５（交流１００Ｖプラグ受け）を設ける。
【符号の説明】
【０００８】  １      使用済み乾電池
２      乾電池ケース
３      電圧計
４      インバーター
５      家庭用コンセント（交流１００Ｖプラグ受け）
６      交流１００Ｖ差込プラグ
７      市販機器
８      乾電池ケース
【図１】
0003173768.tif 000003
【図２】
0003173768.tif 000004
【手続補正書】
【提出日】平成23年8月18日(2011.8.18)
【手続補正１】
【補正対象書類名】実用新案登録請求の範囲
【補正対象項目名】全文
【補正方法】変更
【補正の内容】
【実用新案登録請求の範囲】
【請求項１】
起電力が１．２Ｖ程度まで低下し、使用済みとなった複数の乾電池を直列に接続して端子間電圧を上げ、その端子間に出力が交流１００Ｖであるインバーターを接続することにより、市販機器（二次電池充電器、携帯電話充電器等）の電源として使用できるようにした、使用済み乾電池を再利用する為の装置。
【手続補正２】
【補正対象書類名】明細書
【補正対象項目名】０００３
【補正方法】変更
【補正の内容】
【０００３】  しかし、市販の乾電池使用機器の性能を発揮できなくなった時点で、乾電池の起電力を測定すると、１．２Ｖ程度残留している。このまま廃棄するのはエネルギー資源の無駄である。
(57)【要約】      （修正有）【課題】アスベスト等の不純物だけが残り、産業廃棄物として処理することができる、カラーベスト・スレート屋根専用水洗いろ過機を提供する。【解決手段】取っ手の付いた箱を３個積み重ね、これを支える足を付け、上段箱に荒目の網、中段箱に細かな目の網を張り、下段箱には内側に勾配を付け、産業廃棄物の出口穴を開け、そこに集中枡を付ける。【選択図】図１
0003173774.tif 000002
【実用新案登録請求の範囲】
【請求項１】
縦４０ｃｍ・横２８ｃｍ・高さ３０ｃｍの３個の取っ手の付いた箱を積み重ねこれを支える足を付け、上段箱に荒目の網・中段箱に細かな目の網を張り、下段箱には内側に勾配を付け、産業廃棄物の出口穴を開け、そこに集中枡を付けて、流れてきた液体を受け止めることができる、カラーベスト・スレート屋根の水洗い専用ろ過機。
【請求項２】
上記のろ過機にトヨより流れてくる産業廃棄物液体を流し込むために、住宅に固定されているトヨを、ろ過機の収まる高さで上部を切断し、トヨとトヨエルボで繋ぎ、下段箱に付いている集中枡に繋がる高さでトヨの下部を切断し、トヨとトヨエルボで接続する回路を作る。
【考案の詳細な説明】
【背景技術】
【０００１】  現在カラーベスト・スレート屋根の水洗いは、アスベスト等の産業廃棄物を長年垂れ流しの状態で、これといった方策も取られず、現在も垂れ流しが続いています。
【考案を実施するための最良の形態】
【０００２】  縦４０ｃｍ・横３０ｃｍ・高さ１８ｃｍの箱を３段重ね、それを支える足１０を付け、上段箱４には取り外し自由の荒目の網、中段箱５には取り外し自由の細かな目の網を張り、下段箱６には内側に勾配を付け、出口穴７を開け、そこに集中枡８を付け、流れてきた産業廃棄物の液体を受け止めることができる、ろ過機３０の考案です。
この考案には、固定されている住宅のトヨ１１を切断して、ろ過機へとトヨ１３とトヨエルボ１４で接続させ、集中枡８からトヨエルボ１５とトヨ１６へと接続させる回路を作る。
水洗い修了後はジョイント１７で、切断したトヨ１１とトヨ１１を繋げる。
【図面の簡単な説明】
【０００３】
【図１】  本考案にかかるろ過機。
【図２】  本考案にかかるろ過機の上段箱。
【図３】  本考案にかかるろ過機の中段箱。
【図４】  本考案にかかるろ過機の下段箱。
【図５】  本考案にかかるトヨとトヨエルボ。
【図６】  本考案にかかる作業終了時。
【符号の説明】
【０００４】    ろ過機                              ３０
上段箱                                １
中段箱                                ２
下段箱                                ３
上段箱の取り外し自由の荒目網          ４
中段箱の取り外し自由の細い目の網      ５
下段箱の傾斜                          ６
下段箱の出口穴                        ７
集中枡                                ８
上・中・下段箱の取手                  ９
上・中・下段箱の支え足              １０
住宅固定トヨ                        １１
住宅固定トヨ止め金具                １２
住宅固定トヨ切断後のろ過機へのトヨ  １３
ろ過機へのトヨ接続のトヨエルボ      １４
集中枡接続へのトヨエルボ            １５
トヨエルボ接続のトヨ                １６
ジョイント                          １７
集中枡止め板                        １８
【図１】
0003173774.tif 000003
【図２】
0003173774.tif 000004
【図３】
0003173774.tif 000005
【図４】
0003173774.tif 000006
【図５】
0003173774.tif 000007
【図６】
0003173774.tif 000008
【手続補正書】
【提出日】平成23年11月21日(2011.11.21)
【手続補正１】
【補正対象書類名】実用新案登録請求の範囲
【補正対象項目名】請求項２
【補正方法】変更
【補正の内容】
【請求項２】
上記のろ過機より流れてくる産業廃棄物を流し込むために、住宅に固定されているトヨ１１を、ろ過機の収まる高さ上部を切断し、トヨ１３とトヨエルボ１４で繋ぎ、下段箱に付いている集中枡に繋がる高さでトヨ１１の下部を切断し、トヨ１６とトヨエルボ１５で接続する回路を作ることを特徴とする、請求項１に記載のカラーベスト・スレート屋根の水洗い専用ろ過機。
(57)【要約】      （修正有）【課題】車両の盗難を防止する為の防犯ブザー塗料付ワイヤー鍵を提供する。【解決手段】ワイヤやチェーンを使用した環状の防犯用鍵であって、ワイヤーやチェーンと共に鍵の接続部分に音響部や塗料部を組み込み、音響部の拡声孔と塗料部の噴出孔を繋ぐ。ワイヤーやチェーンが切断されると音や塗料が出る。【選択図】図３
0003173776.tif 000002
【実用新案登録請求の範囲】
【請求項１】
車両等に使用されているワイヤーやチェーン等を使用し環状になっている鍵等を切断されて盗難されない様に音を出す拡声孔や塗料を出す噴出孔を利用し車両の盗難を止する為の鍵で、鍵を構成している通電用配線保護チューブの中に組込んである拡声孔や噴出孔を繋ぐ通電用配線を切断された時に音や塗料が出て車両の盗難を防止する為の鍵。
【考案の詳細な説明】
【技術分野】
【０００１】  本考案は，車両等の盗難を防止する為にワイヤーやチェーン等を環状の鍵に音や塗料を出す為に通電用配線を取り付けた。
【背景技術】
【０００２】  従来の技術としては、ワイヤーやチェーン等を使用した環状の鍵で車両を止め移動できない様にするだけの物であった。
【考案が解決しようとする課題】
【０００３】  従来の物件は単に盗難をし難くする為のものであるが、今回の改良は音を出す拡声孔や塗料を出す噴出孔を取付た事で盗難防止を従来の物件をより高度に防止出来る様に従来の欠点を解決したものである。
【課題を解決する為の手段】
【０００４】  従来のワイヤーやチェーン等を使用し環状の鍵に音を出す拡声孔や塗料を出す噴出孔を取付盗難を最大限に防止する為に従来の問題点を解決したものである。
【考案を実施するための形態】
【０００５】  本考案は、従来のワイヤーやチェーン等を使用した環状の鍵の問題点を防犯だけにせず合わせて音や塗料を出す事で防犯をより高度に解決したものである。
【実施例】
【０００６】  以下、添付図１に従って一実施例を説明する。▲１▼は一方に音を出す拡声孔を一方に塗料を出す噴出孔を内蔵したもので、▲２▼には▲１▼が使用出来る様に通電用配線を取付けて使用するものである。
【考案の効果】
【０００７】  上述の様に、本考案の求める車両等防犯環状鍵はワイヤーやチェーン等を使用した環状の鍵に音や塗料を出す事で盗難防止を解決したものである。
【図面の簡単な説明】
【０００８】
【図１】  本考案の全体図である。
【図２】  本考案の環状鍵の接続断面図である。
【図３】  本考案の通電用配線の断面図である。
【符号の説明】
【０００９】▲１▼  拡声孔、噴出孔の接続部
▲２▼  拡声孔、噴出孔の通電用配線保護チューブ
▲３▼  拡声孔、噴出孔の通電用配線
▲４▼  拡声及び噴出孔部
▲５▼  通電用配線接続部
▲６▼  環状鍵接続用ワイヤー、チェーン
【図１】
0003173776.tif 000003
【図２】
0003173776.tif 000004
【図３】
0003173776.tif 000005
【手続補正書】
【提出日】平成23年11月22日(2011.11.22)
【手続補正１】
【補正対象書類名】実用新案登録請求の範囲
【補正対象項目名】全文
【補正方法】変更
【補正の内容】
【実用新案登録請求の範囲】
【請求項１】
一般的に使用されているワイヤーやチェーンを使用した環状になっている防犯用鍵を盗難されない様に切断された時に大きな音を出す音響部の拡声孔や犯人を見分ける為に塗料を噴きつける塗料部の噴出孔を利用し車両の盗難を防止する為の鍵で、鍵を構成しているワイヤーやチェーンと共に鍵の接続部分に音響や塗料部を組込んで配線し音響部拡声孔と塗料部噴出孔を繋ぎワイヤーやチェーンが切断された時に同時に配線も切断されて音や塗料が出て車両の盗難を防止する為の防犯ブザー塗料付ワイヤー鍵。
(57)【要約】      （修正有）【課題】沈殿池壁面に集水トラフおよび配管等の凸部や凹部があり、沈殿池壁面がフラットでない場合でも、阻流板が取り付け可能な汚濁防止フェンスを提供する。【解決手段】阻流板を水流傾斜板のフラッペに直接阻流板を設け、短絡流を防止することを特徴とする。本阻流板を設けた水流傾斜板を用いることによって、沈殿池壁面に集水トラフおよび配管等の凸部や凹部があっても、沈殿池壁面に阻流板を設けることなく、短絡流が生じないようにする。【選択図】図１
0003173773.tif 000002
【実用新案登録請求の範囲】
【請求項１】
横流式普通沈殿池および横流式薬品沈殿池或いは放射流式普通沈殿池および放射流式薬品沈殿池では、傾斜板・傾斜管または水流傾斜板等の沈降装置を設置する場合、水流が沈降装置外を通ると、沈殿効率が著しく低下するので、短絡流が生じないようにする阻流板において、沈殿池壁面に集水トラフおよび配管等の凸部や凹部があり、沈殿池壁面がフラットでない場合でも、水流傾斜板のフラッペに直接阻流板を設け、短絡流を防止することを特徴とする阻流板を設けた汚濁防止フェンス。
【考案の詳細な説明】
【技術分野】
【０００１】
本考案は、横流式普通沈殿池および横流式薬品沈殿池或いは放射流式普通沈殿池および放射流式薬品沈殿池において、汚濁防止フェンスの沈降装置を設置する場合、水流が沈降装置外を通ると、沈殿効率が著しく低下するので、短絡流が生じないようにする必要があり、沈降装置への流入を均等にするための、短絡流防止を目的とした汚濁防止フェンスに関する。
【背景技術】
【０００２】
従来、横流式普通沈殿池および横流式薬品沈殿池或いは放射流式普通沈殿池および放射流式薬品沈殿池において、沈降装置を設けた場合、沈殿池壁面及び流れに対して直角に突き出でた阻流壁、阻流板、阻流止めが知られている。
しかしながら、沈殿池壁面に集水トラフおよび配管等の凸部や凹部があり、沈殿池壁面がフラットでない場合は、沈殿池壁面に合せた複雑な阻流板を設けるか、場合によっては取り付けられないと云う欠点があった。
【考案の概要】
【考案が解決しようとする課題】
【０００３】
そこで、本考案者は、これらの問題点をふまえ、沈殿池壁面がフラットでない場合においても、取り付け可能な阻流板について種々検討を重ねた結果本考案を完成するに至った。
【課題を解決するための手段】
【０００４】
すなわち、本考案は、沈殿池壁面に集水トラフおよび配管等の凸部や凹部があり、沈殿池壁面がフラットでない場合は、沈殿池壁面に合せた複雑な阻流板を沈殿池壁面に取り付けることなく、水流傾斜板のフラッペに直接阻流板を設け、短絡流を防止することを特徴とする阻流板を設けた汚濁防止フェンスである。
【考案の効果】
【０００５】
本考案の阻流板を設けた水流傾斜板を用いることによって、沈殿池壁面に集水トラフおよび配管等の凸部や凹部があっても、沈殿池壁面に阻流板を設けることなく、短絡流が生じないようにする汚濁防止フェンスを提供する。
【図面の簡単な説明】
【０００６】
【図１】本考案に用いられる装置の一例を示した概略側面図
【図２】阻流板を設けた水流傾斜板の斜視図
【図３】ループ状阻流板を設けた水流傾斜板の斜視図
【０００７】
次に本考案を図面を参照しながら説明するが本考案は以下の説明のみに限定されるものではない。
図１は本考案における阻流板１を汚濁防止フェンスである懸濁粒子の相互干渉により濁質濃度を高め干渉沈降させて除濁効果を高める通水型の水流傾斜板２パトレシア（日本ソリッド社製商品名）（以下水流傾斜板と称す）に設けた装置の一例を示した概略側面図である。該水流傾斜板２は上部のフロート部３を水面に浮かべ、下部のフラッペ部４を有し、フラッペ部４の下端にウエイト６を設けて、フラッペ部４を水中に垂下させており、フロート部３の水平方向の中心に孔（図示せず）を有し、該孔にロープ５を通し、多数の水流傾斜板２を連接している沈降装置である。ロープ５の端末は、玉掛用の環状にして作った目穴（以下アイ７と称す）加工され、アイ７は連結金具９で沈殿池壁面８の取付金具に連結されている。沈殿池壁面８には、集水トラフ１０および配管１１の凸部や凹部があり、沈殿池壁面８がフラットでない。
沈殿池壁面８と沈降装置である水流傾斜板２の開きを小さくして、短絡流が生じないようにするために、フラッペ部４の両端の一方の沈殿池壁面側に阻流板１を設け、短絡流の防止の役割を果たすことになる。
【０００８】
図２は本考案における阻流板１を設けた水流傾斜板２の斜視図である。水中に垂下したフラッペ部４の横片端に板状の阻流板１をボルト・ナット等の金具１２で固定している。阻流板１は水流傾斜板２から沈殿池壁面８に向かって張り出しており、沈殿池壁面８と水流傾斜板２の隙間を小さくして、短絡流の防止の役割を果たしている。
【０００９】
図３は本考案における筒状阻流板を設けた水流傾斜板の斜視図である。水中に垂下したフラッペ部４の横片端に筒状の阻流板１をボルト・ナット等の金具１２で固定している。阻流板１は水流傾斜板２から沈殿池壁面８に向かって張り出している。筒形状のため、沈殿池壁面８の集水トラフ１０或いは配管１１等の凸部に接する位置まで張り出すまで阻流板１を広く設ける事ができ、
沈殿池壁面８と水流傾斜板２の隙間を更に小さくして、短絡流の防止の役割を果す事ができる。
【００１０】
本考案における阻流板１の素材としては、鋼製の金属類や硬質合成樹脂、ゴム製等の軟質合成樹脂が用いられる。これらの素材は機能に応じて適宜選択することができる。
【００１１】
本考案における阻流板１はフラッペ部４とをボルト・ナット等の金具１２で固定する他に縫製することも可能である。
【符号の説明】
【００１２】
１・・・・阻流板
２・・・・水流傾斜板
３・・・・フロート部
４・・・・フラッペ部
５・・・・ロープ
６・・・・ウエイト  
７・・・・アイ    
８・・・・沈殿池壁面
９・・・・連結金具
１０・・・・集水トラフ
１１・・・・配管
１２・・・・金具
【図１】
0003173773.tif 000003
【図２】
0003173773.tif 000004
【図３】
0003173773.tif 000005
【手続補正書】
【提出日】平成23年12月12日(2011.12.12)
【手続補正１】
【補正対象書類名】実用新案登録請求の範囲
【補正対象項目名】請求項１
【補正方法】変更
【補正の内容】
【請求項１】
沈殿池壁面に凸凹部を有する沈殿池に使用する汚濁防止フェンスであって、水面に浮かぶフロート部と、フロート部から水中に垂下されるフラッペ部とを有する水流傾斜板と、フラッペ部の沈殿池壁面側に直接設けられた阻流板とを備えた汚濁防止フェンス。
(57)【要約】      （修正有）【課題】バルブ等の開閉表示変更が、容易且つ確実に実施出来るバルブの開閉表示板を提供する。【解決手段】開閉表示板本体Ａと片方の文字を隠すための副板Ｂで形成され、表面裏面ともに同じ構成となる。本体Ａに“開”と“閉”の文字が中心線を対象に向き合って印字され、不透明な材料で作られた副板Ｂは固定用のビス・ナット（２ａ、２ｂ）で本体Ａの中心に吊り下げるように取り付けられているため、表示板を上下逆さに付け変えた場合に重力によって回転しバルブの“開”“閉”を表示する。【選択図】図１
0003173778.tif 000002
【実用新案登録請求の範囲】
【請求項１】
開閉表示板本体Ａと、“開”“閉”どちらかの文字を隠すための副板Ｂから構成され、表面裏面ともに同じ機能を有するバルブ開閉表示板で、本体Ａは両端に２ケ所の取り付け用の穴（７、８）と中心に副板Ｂを取り付ける穴１を設け、表示用の“開”と“閉”の文字（３、４）が中心線を対象に向き合うように印字されたもので、片方の文字を隠すための副板Ｂは不透明な材料で作られ副板Ｂ自体の回転運動を妨げない程度の隙間をもって本体Ａの中心に固定用のビス・ナット（２ａ、２ｂ）で吊り下げるように取り付けられているため、開閉表示板を上下逆さに付け変えた場合に副板Ｂが重力によって回転し容易且つ確実な表示変更が可能となる。
【考案の詳細な説明】
【産業上の利用分野】
【０００１】本考案は、バルブ等の開閉状態を表示する場合に用いる開閉表示板の技術に関する。
【背景技術】
【０００２】従来の開閉表示方法は、開の札と閉の札を取り変える方法が一般的であった。【０００３】近年の新技術としてスライド式や回転式があるが、いずれも構造が複雑であり確実性に疑問がある為に実用的でなかった。【０００４】しかし大規模な石油コンビナートや高圧ガス製造施設等では、バルブの誤操作は致命的な大事故に繋がりかねないので各バルブの開閉表示は絶対的な信頼性が不可欠となる。【０００５】その他屋外での使用を考える時、その材質や構造には耐熱性とともに耐久性が要求される。
【考案の概要】
【考案が解決しようとする課題】上記のような背景をもとに、出来得る限り簡単な構造で且つ確実に開閉出来る表示板を、いかに開発出来るかが課題であった。
【課題を解決するための手段】そこで、開と閉の文字を印字した１枚の表示板を使用し、中心部分に取り付けたもう１枚の不透明な板が重力で回転する作用を利用して不要な文字を隠す構造とした。
【考案の効果】
【０００６】その結果、１枚の開閉表示板で容易且つ確実に表示変更が可能となった。【０００７】開閉表示板は機能的な形を基本とするものの、長方形に限らず楕円型や菱型・丸型など、職場環境によって個性あるデザインの可能性が期待される。【０００８】また、片方の表示文字を隠すための副板に“常時”の文字や重要なバルブ番号を明記すれば、バルブの開閉状態を詳細に表現することが可能であり、副板Ｂを色別し製造施設の配管系列ごとに使用すれば、より一層設備の安全管理を容易に行うことが可能となる。【０００９】開閉表示板の材質としては、軽金属以外にも近年非常に進歩した強化プラスチックやＡＢＳ樹脂・ポリプロピレン樹脂なども、耐久性や強度的には充分使用可能である。
【図面の簡単な説明】
【図１】開閉表示板の構造を示した分解斜視図である。
【図２】開閉時の状態を示した外観正面図である。
【図３】回転時の様子を示した正面図である。
【図４】開閉表示板の本体と副板を取り付けた様子を示した側面図である。
【符号の説明】Ａ−開閉表示板本体
Ｂ−開閉表示板副板
１−本体に副板を取り付けるための穴
２ａ−固定ビス
２ｂ−固定ナット
３−開の表示文字
４−閉の表示文字
５−常時の表示文字
６−副板Ｂの取り付け穴
７−開表示の取り付け穴
８−閉表示の取り付け穴
【図１】
0003173778.tif 000003
【図２】
0003173778.tif 000004
【図３】
0003173778.tif 000005
【図４】
0003173778.tif 000006
【手続補正書】
【提出日】平成23年11月25日(2011.11.25)
【手続補正１】
【補正対象書類名】実用新案登録請求の範囲
【補正対象項目名】全文
【補正方法】変更
【補正の内容】
【実用新案登録請求の範囲】
【請求項１】
開閉表示板本体Ａと、“開”“閉”どちらかの文字を隠すための副板Ｂから構成され、表面裏面ともに同じ機能を有するバルブ開閉表示板で、本体Ａは両端に２ケ所の取り付け用の穴（７、８）と中心に副板Ｂを取り付ける穴１を設け、表示用の“開”と“閉”の文字（３、４）が中心線を対象に向き合うように印字されたもので、片方の文字を隠すための副板Ｂは不透明な材料で作られ副板Ｂ自体の回転運動を妨げない程度の隙間をもって本体Ａの中心に固定用のビス・ナット（２ａ、２ｂ）で吊り下げるように取り付けられているため、開閉表示板を上下逆さに付け変えた場合に副板Ｂが重力によって回転し容易且つ確実に表示変更ができることを特徴とするバルブの開閉表示板。
(57)【要約】      （修正有）【課題】ペットが死亡した時や、病気や事故などで身体が傷ついた場合も、容易に着せつけられるペット葬儀用仏衣を提供する。【解決の手段】ペットが死亡した時、時間が経過して手足等に硬直が始まってきても、そのままの姿にて袖等を通さなく簡単に着せれる様に、胴体に着せる部分２と、手の方に着せる部分１を一体化に製作し、手の方に付けている紐４を、首の所で結ぶことでペットが死亡し硬直しても簡単に着せることができるようにペット葬儀専用の仏衣を形成する。【選択図】図１
0003173771.tif 000002
【実用新案登録請求の範囲】
【請求項１】
１）ペットが死亡した時、葬儀専用の仏衣が無かった。又、ペットが死亡した時や、１時間程すると硬直が始まった時でも、そのままの姿にて簡単に着せれる様に、胴体に着せる部分と、手の方に着せる部分を一体化に製作し、手の方に付けている紐を、首の所で結ぶことで、ペットが死亡し硬直しても簡単に着せれるペット葬儀専用の仏衣
【考案の詳細な説明】
【技術分野】
【０００１】この考案は、ペットが死亡した時、葬儀専用の仏衣が無かった。又、ペットが死亡した時や、時間が経過すると硬直が始まりだす。始まった時でも、そのままの姿にて簡単に着せれる様に、胴体に着せる部分と、手の方に着せる部分を一体化して製作し、手の方に付けている紐を、首の所で結ぶことで、ペットが死亡し硬直しても簡単に着せれるペット葬儀専用の仏衣に、関するものである。
【背景技術】
【０００２】従来、ペットが死亡した時、今まで着用していたペット用衣類とか、タオル等を掛ける様にし、又そのままの形で、ペット用の葬儀を行って、葬儀用としての仏衣を着る事が無かった。又、今まで着用していた衣類では、簡単に手足等に袖等をとうす事が、又、硬直している場合は非常に困難であった。
【考案の概要】
【考案が解決しようとする課題】
【０００３】従来はペット葬儀専用の仏衣が無かった。【０００４】ペットが死亡した時や、ペットが硬直した時には、衣類を着せる事が、非常に困難であり、病気や事故などで身体が傷ついた場合も、あまり動かさず、着せつけられ病んだ身体を覆うことがでなかった。
本考案は、以上のような欠点をなくすためになされたものである。
【課題を解決するための手段】
【０００５】ペット葬儀専用の仏衣を製作する。【０００６】ペットが死亡した時や、時間かつ経過すると、硬直が始まった時でも、又、病気や事故等で身体が傷ついた場合も、あまり動かさず、そのままの姿にて病んだ身体を覆うことが出来る様に、胴体に、着せる部分と、手の方に着せる部分を、一体化して製作し、手の方に付けている紐を、首の所で、結ぶことで、ペットが死亡し硬直しても簡単に着せれるペット葬儀専用の仏衣に、関するものである。
本考案は、以上の構成よりなる、ペット葬儀専用の仏衣である。
【考案の効果】
【０００７】ペットの葬儀用専用の仏衣があるだけで、葬儀の目的意図である飼い主の思い仏衣に表し、ペットを可愛がって飼っていた飼い主の心のグリーフケアーにつながり、ペットと最後のお別れをしてあげたとの思いが叶う事ができる。【０００８】ペットが硬直した時でも、手足に袖をとうさなくても、葬儀用専用の仏衣を着せる事ができる。
【図面の簡単な説明】
【０００９】
【図１】本考案の斜視図である。
【図２】本考案の二部分割の斜視図である。
【図３】本考案の背面図仕様書である。
【考案を実施するための形態】
【００１０】以下、本考案を実施するための形態について説明する。
ペットの手足の部分に着せれる様に（本体）（１）で手足を包む様に、両側に幅広くして取り付けてある（本体）（１）と、ペットの体を包む（本体）（２）と融合してあり、又、首等の所にある（紐）（３）を結んであげると、まさに、衣服を着せているごとくに見える。
又、手足の部分の（本体）（１）に例えば羽根の様な飾り物（３）を取り付けることにより、天使を想像させる事ができる。
以下、本考案を実施するための形態について説明する。
本考案は、以上のような構造である。
【符号の説明】
【００１１】（１）  ペットの手足を包んであげる巾広い袖（本体）
（２）  ペットの胴体を包んであげる巾広い身頃（本体）
（３）  ペットの手足部分に例えば羽根の様な飾り物を付ける（本体）
（４）  ペットの首の部分に紐を両側に取り付ける（本体）
【図１】
0003173771.tif 000003
【図２】
0003173771.tif 000004
【図３】
0003173771.tif 000005
【手続補正書】
【提出日】平成23年10月24日(2011.10.24)
【手続補正１】
【補正対象書類名】実用新案登録請求の範囲
【補正対象項目名】全文
【補正方法】変更
【補正の内容】
【実用新案登録請求の範囲】
【請求項１】
胴体に着せる部分と、手の方に着せる部分を一体化に製作し、手の方に付けている紐を、首の所で結ぶことで、ペットが死亡し硬直しても簡単に着せれるペット葬儀専用の仏衣
(57)【要約】      （修正有）【課題】点滴液等の監視・管理を離れた所で管理できる監視用治具を提供する。【解決手段】洗濯バサミ部分３に赤外線発生素子１を付け赤外線検知素子２を付けたものを中継管に取付け、赤外線を液が落下する際に生じる光線の乱れを検知し、パルスに置換し制御回路により、ナースコールスイッチをコントロールする。洗濯バサミ部分３をつまみ円筒管をはさみ、ハサミ部分の一方に付いた赤外線発生素子１より照射された光線を赤外線検知素子２で検知し、制御回路を介してナースコールスイッチをコントロールする。【選択図】図１
0003173780.tif 000002
【実用新案登録請求の範囲】
【請求項１】
洗濯バサミ部の一方に赤外線発生素子を取付け、他方に赤外線検知素子を取付た点滴注射等監視・管理できるところを特徴とする点滴注射等監視用治具。
【考案の詳細な説明】
【技術分野】
【０００１】  本考案は、点滴注射等の監視・管理が容易な点滴注射の監視システムに関するものである。
【背景技術】
【０００２】  くすりが体内に注射される量は、液を納めた容器と注射針の間にある円柱の管の中で液が落下する状況を目視して管理していた。
【考案の開示】
【考案が解決しようとする課題】
【０００３】  注射される量を目視で管理していたため、労力負担が大きかった。しかし管理を本治具を使うことで、液の量を離れた所で管理でき、前途の欠点を解決しようとするものである。
【課題を解決するための手段】
【０００４】  本考案は、洗濯バサミの形状の本体のはさむ部分の両側にそれぞれ赤外線発生素子と赤外線検知素子を取付たことにより、液が落下する際に生じる光線の乱れを検知できることを利用して問題点を解決している。
【考案の効果】
【０００５】  本考案の点滴注射等監視治具は、点滴液が落下する円柱管内を赤外線等の光線を照射し、液が光線を通過する際に光線を乱れさせる。その乱れを検知することを利用し点滴液の監視・管理に用いる。
【考案を実施するための最良の形態】
【０００６】  洗濯バサミ部分のはさむ部分の両側の一方に赤外線発生素子、他方に赤外線検知素子を取付け点滴液が中継管内を通過するときに生じさせる光線の乱れを検知し、それをパルス信号に置換し、タイマー回路を介して、点滴液の落下間隔と同期を取り異常があれば検知し、信号を発生させてナースコールスイッチをコントロールする。
【実施例】
【０００７】  以下、添付図に従って実施例を説明する。洗濯バサミ部分３をつまみ円筒管をはさみ、ハサミ部分の一方に付いた赤外線発生素子１より照射された光線を２の付いた赤外線検知素子で検知し、４の制御回路を介してナースコールスイッチをコントロールする。【０００８】  本考案は、上途の如き構成からなるもので、点滴注射等の監視・管理に用いられる。
【図面の簡単な説明】
【０００９】
【図１】  本考案の立面図
【図２】  本考案の実施例図
【符号の説明】
【００１０】  １．赤外線発生素子
２．赤外線検知素子
３．つまみ
４．制御回路収納ボックス
【図１】
0003173780.tif 000003
【図２】
0003173780.tif 000004
(57)【要約】      （修正有）【課題】加熱した鉄板の上で使用しても熱くなることがないお好み焼き用ヘラを提供する。【解決手段】テコ先部と、柄部と、テコ先部と柄部との間の段部とで構成される。突起を有する支持部をお好み焼き用ヘラ全体の重心よりヘラ先端側に設ける。【選択図】図１
0003173943.tif 000002
【実用新案登録請求の範囲】
【請求項１】
加熱した鉄板の上でお好み焼きを焼きながら、あるいはテコ先でお好み焼きを切りながら食べるお好み焼き用ヘラであって、ヘラ先端のテコ先部と、手で握る柄部と、テコ先部と柄部の間の段部で構成されるヘラにおいて、突起を有する支持部をヘラ全体の重心よりヘラ先端側に設けたことを特徴とするお好み焼き用ヘラ。
【考案の詳細な説明】
【技術分野】
【０００１】  この考案は加熱した鉄板の上でお好み焼きを焼きながら、あるいはテコ先でお好み焼きを切りながら食べるために使うお好み焼き用ヘラに関するものである。
【背景技術】
【０００２】  従来、大阪を中心とする関西地方におけるお好み焼きは、小麦粉などを水に溶かしたものに、キャベツなどの野菜類の具材と肉、魚介類等の具材を混ぜ、お好み焼き用ヘラを使って、加熱した鉄板の上で両面をじっくり焼く調理方法が一般的である。更に、焼きあがったお好み焼きには、上面にソースを塗り、この上に鰹節や青海苔、マヨネーズなどをふりかけて仕上げられる。【０００３】  でき上がったお好み焼きを食べる場合には、多くは皿に移すことはなく、そのまま鉄板の上で保温された状態のまま、調理に使ったお好み焼き用ヘラで賽の目状あるいは食べやすい大きさに切って、箸を使わずに食べられている。【０００４】  しかしながら、従来のお好み焼き用ヘラは、すべてが金属製であるため、お好み焼きの調理中や喫食中に、鉄板の熱で加熱され、手にすることができないほど熱くなったりヘラ先端部で口をやけどすることがあった。
【考案の概要】
【考案が解決しようとする課題】
【０００５】  この考案は、加熱した鉄板の上で使用しても熱くなることがないお好み焼き用ヘラを提供する。
【課題を解決するための手段】
【０００６】  この考案は、以上の課題を解決するためになされたものであり、突起を有する支持部をお好み焼き用ヘラ全体の重心よりヘラ先端側に設けたことを特徴とするお好み焼き用ヘラである。
【考案の効果】
【０００７】  この考案において、突起を有する支持部をお好み焼き用ヘラ全体の重心よりヘラ先端側に設けたことにより、ヘラ先端部が加熱した鉄板から離されて、鉄板の熱で加熱されることがなくなるので、お好み焼きの調理中や喫食中にも安全に使用することが可能になる。
【考案を実施するための形態】
【０００８】  以下に、この考案のその最良の実施の形態に基づいて説明する。なお、この考案は、以下の実施の形態に限定されるものではなく、この考案と同一および均等の範囲内において、以下の実施の形態に対して種々の変更を加えることが可能である。
【実施例】
【０００９】  図１は、この考案によるお好み焼き用ヘラの一実施例を示したものであり、ヘラ先端のテコ先部１と、手で握る柄部２と、テコ先部１と柄部２の間の段部３で構成されるヘラにおいて、柄部２の段部側にツメ状の支持部４が設けられている。【００１０】  図２は、この考案によるお好み焼き用ヘラを実際に使用している状態の側面図を示したものであり、ツメ状の支持部４によりテコ先部１が加熱した鉄板から離されることになり、鉄板の熱で加熱されることがなくなる。【００１１】  この考案によるお好み焼き用ヘラは、金属を加工して構成した実施例で説明したが、ヘラ全体をポリアミド系樹脂などの耐熱性樹脂により一体成型することも可能である。
【図面の簡単な説明】
【００１２】
【図１】この考案によるお好み焼き用ヘラの一実施例の説明図である。
【図２】この考案によるお好み焼き用ヘラの使用状態での側面図である。
【符号の説明】
【００１３】１  テコ先部
２  柄部
３  段部
４  支持部
【図１】
0003173943.tif 000003
【図２】
0003173943.tif 000004